(57)【特許請求の範囲】
【請求項１】
受光部で受光した太陽光を電気に変換する太陽電池モジュールであって、前記太陽電池モジュールは、ＦＲＰ製有底筒状基体の周壁の内外面及び底の内面に太陽電池を面方向に多数並設するとともに、前記各太陽電池の表面に保護ガラスを積層したものであり、前記太陽電池モジュールの底部内面は、周縁に比して中央側ほど高くなる凸状に設けられ、更に、この太陽電池モジュールの底部の最下位置には排水孔が設けられていることを特徴とする太陽電池モジュール。
【請求項２】
受光部で受光した太陽光を電気に変換する太陽電池モジュールであって、前記太陽電池モジュールは、ＦＲＰ製有底筒状基体の周壁の内外面及び底の内面に太陽電池を面方向に多数並設するとともに、前記各太陽電池の表面に保護ガラスを積層したものであり、前記太陽電池モジュールの底部内面は、周縁に比して中央側ほど低くなる凹状に設けられ、更に、この太陽電池モジュールの底部の最下位置には排水孔が設けられていることを特徴とする太陽電池モジュール。
【請求項３】
請求項１，２いずれか１項に記載の太陽電池モジュールにおいて、前記太陽電池モジュールの底部内面には、凹凸が設けられていることを特徴とする太陽電池モジュール。
【請求項４】
請求項１〜３いずれか１項に記載の太陽電池モジュールにおいて、前記太陽電池モジュールの周壁部は、内方若しくは外方に膨出するように設けられていることを特徴とする太陽電池モジュール。
【請求項５】
請求項１〜４いずれか１項に記載の太陽電池モジュールにおいて、前記太陽電池モジュールの周壁部には、凹凸が設けられていることを特徴とする太陽電池モジュール。
【請求項６】
請求項１〜５いずれか１項に記載の太陽電池モジュールにおいて、前記太陽電池モジュールは有底円筒状であることを特徴とする太陽電池モジュール。
【請求項７】
請求項１〜６いずれか１項に記載の太陽電池モジュールを備えたことを特徴とする太陽光発電システム。
【発明の詳細な説明】
【技術分野】
【０００１】
本発明は、太陽電池モジュール及び太陽光発電システムに関するものである。
【背景技術】
【０００２】
近年、石油や石炭などの化石燃料の代替えエネルギーとして太陽光が注目されており、例えば特開２００６−３１７１２８号のような太陽光を電気に変換する太陽電池モジュール（以下、従来例）が種々提案されている。
【０００３】
この従来例は、太陽光を電気に変換する太陽電池（セル）を多数並設した方形板状のパネル構造体であり、太陽光を受光する受光部の表面積（太陽電池の面積）を広くすればするほど多くの電気が得られることになる。
【先行技術文献】
【特許文献】
【０００４】
【特許文献１】特開２００６−３１７１２８号公報
【発明の概要】
【発明が解決しようとする課題】
【０００５】
しかしながら、従来例は、その構造上、設置スペースの制限により大型化にも限界があり、要求する発電量が得られない場合がある。
【０００６】
本発明者は、前述した太陽電池モジュールについて更なる研究・開発を進め、その結果、極めて商品価値の高い画期的な太陽電池モジュール及び太陽光発電システムを開発した。
【課題を解決するための手段】
【０００７】
添付図面を参照して本発明の要旨を説明する。
【０００８】
受光部で受光した太陽光を電気に変換する太陽電池モジュール２であって、前記太陽電池モジュール２は、ＦＲＰ製有底筒状基体５の周壁５ａの内外面及び底５ｂの内面に太陽電池１を面方向に多数並設するとともに、前記各太陽電池１の表面に保護ガラス６を積層したものであり、前記太陽電池モジュール２の底部２ｂ内面は、周縁に比して中央側ほど高くなる凸状に設けられ、更に、この太陽電池モジュール２の底部２ｂの最下位置には排水孔２ｂ’が設けられていることを特徴とする太陽電池モジュールに係るものである。
【０００９】
また、受光部で受光した太陽光を電気に変換する太陽電池モジュール２であって、前記太陽電池モジュール２は、ＦＲＰ製有底筒状基体５の周壁５ａの内外面及び底５ｂの内面に太陽電池１を面方向に多数並設するとともに、前記各太陽電池１の表面に保護ガラス６を積層したものであり、前記太陽電池モジュール２の底部２ｂ内面は、周縁に比して中央側ほど低くなる凹状に設けられ、更に、この太陽電池モジュール２の底部２ｂの最下位置には排水孔２ｂ’が設けられていることを特徴とする太陽電池モジュールに係るものである。
【００１０】
また、請求項１，２いずれか１項に記載の太陽電池モジュールにおいて、前記太陽電池モジュール２の底部２ｂ内面には、凹凸が設けられていることを特徴とする太陽電池モジュールに係るものである。
【００１１】
また、請求項１〜３いずれか１項に記載の太陽電池モジュールにおいて、前記太陽電池モジュール２の周壁部２ａは、内方若しくは外方に膨出するように設けられていることを特徴とする太陽電池モジュールに係るものである。
【００１２】
また、請求項１〜４いずれか１項に記載の太陽電池モジュールにおいて、前記太陽電池モジュール２の周壁部２ａには、凹凸が設けられていることを特徴とする太陽電池モジュールに係るものである。
【００１３】
また、請求項１〜５いずれか１項に記載の太陽電池モジュールにおいて、前記太陽電池モジュール２は有底円筒状であることを特徴とする太陽電池モジュールに係るものである。
【００１４】
また、請求項１〜６いずれか１項に記載の太陽電池モジュールを備えたことを特徴とする太陽光発電システムに係るものである。
【発明の効果】
【００１５】
本発明は上述のように構成したから、前述した従来例に比し、例えば巾の狭い設置スペースに対応してコンパクトな構造としても、広い表面積が確保でき、多くの太陽光が得られることになるなど、極めて商品価値の高い画期的な太陽電池モジュール及び太陽光発電システムとなる。
【図面の簡単な説明】
【００１６】
【図１】本実施例を示す斜視図である。
【図２】本実施例の要部を説明する断面図である。
【図３】本実施例の要部の別例を説明する断面図である。
【図４】本実施例の要部の別例を説明する断面図である。
【図５】本実施例に係る太陽光発電システムの説明図である。
【図６】本実施例の使用状態説明図である。
【図７】本実施例の使用状態説明図である。
【図８】本実施例の使用状態説明図である。
【発明を実施するための形態】
【００１７】
好適と考える本発明の実施形態を、図面に基づいて本発明の作用を示して簡単に説明する。
【００１８】
太陽光が照射されると、この太陽光は周壁部２ａの内外面及び底部２ｂ内面である受光部で受光され、この各受光部で受光された太陽光は電気に変換される。
【００１９】
例えば本発明に係る太陽電池モジュール２の底部２ｂを、前述した方形板状のパネル構造体である従来例と同じ面積とした場合、この底部２ｂに設けられた受光部以外にも、底部２ｂの周縁に設けられる周壁部２ａの内外面に設けられた受光部で太陽光を受光して発電が行われることになるから、従来例に比して多くの電気を得ることができる。
【００２０】
つまり、本発明は、前述した従来例に比し、例えば巾の狭い設置スペースに対応してコンパクトな構造としても、広い表面積が確保され、多くの太陽光を得ることが可能となる。
【００２１】
また、本発明は、底部２ｂ内面が単なる平坦状であった場合に比べて受光部の表面積がより広くなるから、この点においても多くの太陽光が得られることになる。
【実施例】
【００２２】
本発明の具体的な一実施例について図面に基づいて説明する。
【００２３】
本実施例は、受光部で受光した太陽光を電気に変換する太陽電池１を備えた太陽電池モジュール２であって、この太陽電池モジュール２を複数備えた太陽光発電システムＳを設けている。
【００２４】
具体的には、この太陽光発電システムＳは、図５に図示したように太陽電池モジュール２を複数並設してなるアレイ11と、このアレイ11（各太陽電池モジュール２）で発電した直流電力を一つにまとめる接続部12（通称：接続箱）と、この接続部12で一つにまとめられた直流電力を交流電力に電力変換するインバータ13（パワーコンディショナー）と、このインバータ13で電力変換された交流電力を各回路15Ａ，15Ｂへ分配する分電盤14とを備えている。
【００２５】
尚、太陽光発電システムＳは前述した構造に限らず、本実施例の特性を発揮する構成であれば適宜採用し得るものである。
【００２６】
太陽電池モジュール２は、上部開口部を有する有底筒状であり、この太陽電池モジュール２の周壁部２ａ及び底部２ｂには太陽電池１が設けられて、この周壁部２ａの内外面及び底部２ｂ内面は受光部に設定されている。この周壁部２ａの高さや底部２ａの面積は適宜設定される。尚、底部２ｂ外面は受光部に設定されていない。この底部２ｂ外面も受光部に設定しても良いが、コスト面や集光効率を考慮して底部２ｂ外面は受光部に設定していない。
【００２７】
具体的には、図１，２に図示したように適宜な素材（例えば金属や合成樹脂やＦＲＰなど）により有底筒状基体５を形成し、この有底筒状基体５の周壁５ａの内外面及び底５ｂ内面に太陽電池１を多数配設（面方向に並設）するとともに、この隣接する太陽電池１同士を接続した構造である。
【００２８】
この面方向に並設される各太陽電池１の表面に保護ガラス６が積層されて受光部が構成されている。
【００２９】
また、有底筒状基体５は平断面形状が円形となる円筒形状であり、その底５ｂは、周縁に比して中央側ほど高くなるように内方へ向けて凸湾曲状に設けられている。
【００３０】
従って、太陽電池モジュール２の底部２ｂ内面は、周縁に比して中央側ほど高くなるように内方へ向けて凸状（一つの湾曲面から成る凸状）に設けられている。
【００３１】
また、太陽電池モジュール２の底部２ｂの最下位置である周縁複数箇所（二箇所）に排水孔２ｂ’が設けられている。
【００３２】
ところで、太陽電池モジュール２の底部２ｂ内面は、中央が先鋭となる錐形状でも良く、また、底部２ｂ内面は、図３の（ａ）に図示したように周縁に比して中央側ほど低くなるように外方へ向けて凹状（一つの湾曲面から成る凹状）に設けたり、図３の（ｂ），（ｃ）に図示したように角形状若しくは湾曲形状の凹凸（波状）となるように設けても良く、これらの構成によりいずれも平坦面である場合に比して広い表面積が確保される。尚、排水孔２ｂ’は最低位置に一つ若しくは複数設けられる。
【００３３】
また、太陽電池モジュール２の周壁部２ａは、図４の（ａ），（ｂ）に図示したように内方若しくは外方に膨出するように設けても良く、また、図４の（ｃ），（ｄ）に図示したように角形状若しくは湾曲形状の凹凸（波状）を設けるようにしても良く、これらの構成によりいずれも平坦面である場合に比して広い表面積が確保される。
【００３４】
尚、太陽電池モジュール２は、有底筒状基体５を介さなくても太陽電池１同士を有底筒状となるように接続して形成する構成としても良い。
【００３５】
太陽電池１（セル）としては、多結晶シリコン太陽電池、単結晶シリコン太陽電池、アモルファスシリコンなどの薄幕太陽電池素子が採用され、受光部で受光した太陽光を電気に変換するように構成されている。
【００３６】
尚、本実施例では太陽電池モジュール２の周壁部２ａ及び底部２ｂ夫々に多数の太陽電池１を配設して受光部を構成しているが、この各周壁部２ａ及び底部２ｂ夫々に一つの大きな太陽電池１を配設して受光部を構成しても良い。
【００３７】
以上の構成から成る太陽電池モジュール２を実際に使用する場合には、直接地上（舗装面など）に設置しても良いし、支柱や台などの上に設置しても良い。
【００３８】
本実施例は上述のように構成したから、太陽光が照射されると、この太陽光は周壁部２ａ夫々の内外面及び底部２ｂ内面である受光部で受光され、この各受光部で受光された太陽光は各太陽電池１で電気に変換される。
【００３９】
よって、本実施例によれば、前述した従来例に比し、例えば巾の狭い設置スペースに対応してコンパクトな構造としても、広い表面積が確保でき、多くの太陽光（即ち、電気）が効率良く得られることになる。
【００４０】
また、本実施例は、太陽電池モジュール２の底部２ｂ内面は、周縁に比して中央側ほど高くなるように凸状に設けられているから、底部２ｂが単なる平坦状であった場合に比べて受光部の表面積がより広くなるから、この点においても多くの太陽光（電気）が得られることになり、更に、この太陽電池モジュール２は円筒形状であるから、太陽の照射角度の変化に対応して可及的に広い表面積が得られることになる（図４〜６参照）。
【００４１】
つまり、本実施例は、太陽電池モジュール２を構成する全ての面（周壁部２ａの内外面及び底部２ｂの内面）が湾曲面に設定されている為、狭いスペースであっても広い表面積を得て極めて効率良く発電することができる。
【００４２】
また、本実施例は、太陽電池モジュール２は周壁部２ａに囲まれた筒状（容器状）であるから、従来例のような方形平板状のものに比して照射された太陽光の周囲への飛散が少なく、その内部は良好に集光されて明るい状態となり、良好な発電効果が得られることになり、更に、その内部は外気に比べて暖気となるから降雪があっても融雪効果が発揮されることになる。
【００４３】
また、本実施例は、太陽電池モジュール２の周壁部２ａは垂直方向に立設する面であるから、例えば降雪や降雨が太陽電池モジュール２の周壁部２ａへ付着してとどまることが可及的に防止される。
【００４４】
尚、本発明は、本実施例に限られるものではなく、各構成要件の具体的構成は適宜設計し得るものである。
【符号の説明】
【００４５】
２  太陽電池モジュール
２ａ  周壁部
２ｂ  底部
２ｂ’ 排水孔
５ 有底筒状基体
５ａ 周壁
５ｂ 底
６ 保護ガラス
【図１】
0005523492.tif 000002
【図２】
0005523492.tif 000003
【図３】
0005523492.tif 000004
【図４】
0005523492.tif 000005
【図５】
0005523492.tif 000006
【図６】
0005523492.tif 000007
【図７】
0005523492.tif 000008
【図８】
0005523492.tif 000009